(57)【要約】【課題】ネットワークを介してＸ線診断システムのシステム設定、及び操作者に関連づけられた設定が可能であるＸ線診断システム及びＸ線診断システムの制御方法を提供する。【解決手段】本実施形態に係るＸ線診断装置は、第１識別情報と、第２識別情報とを、ネットワークを介してＸ線診断システム用サーバに供給する供給部と、第１識別情報に関連づけられた自システムの構成に関する構成情報と、第２識別情報に関連づけられた設定情報とを、Ｘ線診断システム用サーバからネットワークを介して取得する取得部と、自システムを制御する制御部と、構成情報に基づき自システムの構成を制御部に設定し設定情報に基づき自システムの設定を制御部に設定して、制御部に自システムのシステム設定を行わせるシステム設定部と、を備える。【選択図】図３
2018110682.tif 000002
【特許請求の範囲】
【請求項１】
自システムを識別するための第１識別情報と、操作者を識別するための第２識別情報とを、ネットワークを介してＸ線診断システム用サーバに供給する供給部と、
前記第１識別情報に関連づけられた前記自システムの構成に関する構成情報と、当該自システムの中で操作者別に設定可能である設定情報であって、前記第２識別情報に関連づけられた設定情報とを、前記Ｘ線診断システム用サーバから前記ネットワークを介して取得する取得部と、
前記自システムを制御する制御部と、
前記構成情報に基づき前記自システムの構成を前記制御部に設定し、前記設定情報に基づき前記自システムの設定を前記制御部に設定して、前記制御部に前記自システムのシステム設定を行わせるシステム設定部と、
を備えるＸ線診断システム。
【請求項２】
前記制御部は、前記構成情報に応じて前記設定情報を変更する請求項１に記載のＸ線診断システム。
【請求項３】
前記操作者を認証し、前記操作者に対応する前記第２識別情報を特定する認証部と、
前記第２識別情報に設定されている変更権限に基づき、前記自システムの構成に関する構成情報の変更を許可する変更部と、を更に備え、
前記システム設定部は、前記変更部において変更された構成情報に基づき、前記自システムの構成を前記制御部に設定する請求項１又は２に記載のＸ線診断システム。
【請求項４】
前記供給部は、変更部において変更された前記構成情報を前記Ｘ線診断システム用サーバに供し、
前記取得部は、前記変更された前記構成情報に応じた前記設定情報を、前記Ｘ線診断システム用サーバから取得する請求項３に記載のＸ線診断システム。
【請求項５】
前記構成情報は、前記自システムにおいて使用可能である複数の撮像装置の中のいずれの撮像装置を選択するかを示す選択情報を含んでおり、
前記設定情報は、操作画面上の各項目へ、前記選択情報に基づき選択された撮像装置を割り振る機能割り当て順の情報を含んでおり、
前記制御部は、前記構成情報及び前記設定情報に基づき、前記操作画面上の各項目へ、前記選択された撮像装置を割り振った前記自システムの設定を行う請求項１乃至４のいずれか一項に記載のＸ線診断システム。
【請求項６】
前記構成情報は、前記自システムにおいて使用可能である画像処理機能の中から使用する画像処理機能を選択する選択情報を含んでおり、
前記設定情報は、前記使用する画像処理機能のパラメータを含んでおり、
前記制御部は、前記選択情報に基づき選択された画像処理機能を前記パラメータに従い実行する前記自システムの設定を行う請求項１乃至５のいずれか一項に記載のＸ線診断システム。
【請求項７】
前記構成情報は、管球から照射させるＸ線における撮影部位毎の撮影条件上限値を含んでおり、
前記設定情報は、前記管球から照射させるＸ線における前記撮影部位毎の撮影条件を含んでおり、
前記制御部は、前記構成情報及び前記設定情報に基づき、前記撮影条件上限値を超えない範囲に変更した前記撮影条件を、前記撮影部位毎に前記自システムに設定する請求項１乃至６のいずれか一項に記載のＸ線診断システム。
【請求項８】
前記構成情報は、操作画面内における撮影条件設定領域の位置を示す位置情報を含んでおり、
前記設定情報は、前記撮影条件設定領域内における複数の撮影条件入力領域の配置を示す配置情報を含んでおり、
前記制御部は、前記位置情報に基づき前記操作画面内に位置させた前記撮影条件設定領域と、前記配置情報に基づき当該撮影条件設定領域内に配置させた前記複数の撮影条件入力領域とを、有する前記操作画面を表示部に表示させる前記自システムの設定を行う請求項１乃至７のいずれか一項に記載のＸ線診断システム。
【請求項９】
前記設定情報は、前記操作画面における配色の情報を更に含んでおり、
前記制御部は、前記配色の情報に基づき配色した前記操作画面を、前記表示部に表示させる前記自システムの設定を行う請求項８に記載のＸ線診断システム。
【請求項１０】
前記構成情報は、前記自システムにおける撮影履歴を記録したシステムの撮影履歴情報を含んでおり、
前記設定情報は、前記自システムにおいて前記操作者が撮影した履歴を記録した前記操作者の撮影履歴情報を含んでおり、
前記制御部は、前記システムの撮影履歴情報に、前記自システムの撮影履歴を追加し、前記操作者の撮影履歴情報に、前記自システムにおいて前記操作者が撮影した撮影履歴を追加し、前記システムの撮影履歴情報の中で他の操作者が撮影した患者の個人情報に関して非表示にする前記自システムの設定を行う請求項１乃至９のいずれか一項に記載のＸ線診断システム。
【請求項１１】
前記構成情報は、前記自システムにおいて使用可能である複数の管球の中のいずれの管球を使用するかを示す使用情報を含んでおり、
前記制御部は、前記使用情報に基づく管球を用いた前記自システムの設定を行う請求項１乃至１０のいずれか一項に記載のＸ線診断システム。
【請求項１２】
前記構成情報は、前記自システムにおいて使用可能である複数の撮影台の中のいずれの撮影台を使用するかを示す使用情報を含んでおり、
前記制御部は、前記使用情報に基づく撮影台を用いた前記自システムの設定を行う請求項１乃至１１のいずれか一項に記載のＸ線診断システム。
【請求項１３】
前記構成情報は、Ｘ線検出器の中の撮影位置を示す位置情報を含んでおり、
前記制御部は、前記位置情報が示す撮影位置において撮影を行う前記自システムの設定を行う請求項１乃至１２のいずれか一項に記載のＸ線診断システム。
【請求項１４】
前記構成情報は、前記自システムにおいて使用可能である複数の出力先の中のいずれの出力先を使用するかを示す使用情報を含んでおり、
前記制御部は、前記使用情報に基づく出力先に撮影した画像を出力する前記自システムの設定を行う請求項１乃至１３のいずれか一項に記載のＸ線診断システム。
【請求項１５】
Ｘ線診断システムを識別するための第１識別情報と操作者を識別するための第２識別情報とをネットワークを介して受け付ける受付部と、
前記第１識別情報に関連づけられたＸ線診断システムの構成に関する構成情報と、当該Ｘ線診断システムの中で操作者別に設定可能である設定情報であって、前記第２識別情報に関連づけられた設定情報とを記録する記録部と、
前記記録部に記録されている前記構成情報と前記設定情報とを、前記Ｘ線診断システムに前記ネットワークを介して出力する出力部と、
を備えるＸ線診断システム用サーバ。
【請求項１６】
前記第２識別情報に関連づけられて前記記録部に記録されている前記設定情報の中から、少なくとも１つの設定情報を選択する設定情報選択部を更に備え、
前記出力部は、前記設定情報選択部が選択した前記設定情報を前記Ｘ線診断システムに出力する請求項１５に記載のＸ線診断システム用サーバ。
【請求項１７】
前記記録部は、前記設定情報を前記第１識別情報にも関連づけて記録しており、
前記出力部は、前記設定情報を前記第１識別情報及び前記第２識別情報に基づき出力する請求項１５に記載のＸ線診断システム用サーバ。
【請求項１８】
Ｘ線診断システムを識別する第１識別情報と、操作者を識別する第２識別情報とを、ネットワークを介して受け付ける受付部と、
前記第１識別情報に関連づけられたＸ線診断システムの構成に関する構成情報と、当該Ｘ線診断システムの中で操作者別に設定可能である設定情報であって、前記第２識別情報に関連づけられた設定情報とを記録する記録部と、
前記構成情報と前記設定情報とを、前記ネットワークを介して出力する出力部と、
を有するＸ線診断システム用サーバと、
前記第１識別情報と前記第２識別情報とをネットワークを介して前記受付部に供給する供給部と、
前記構成情報と、前記設定情報とを、前記出力部からネットワークを介して取得する取得部と、
前記Ｘ線システムを制御する制御部と、
前記構成情報に基づき前記Ｘ線診断システムの構成を前記制御部に設定し、前記設定情報に基づき前記Ｘ線診断システムの設定を前記制御部に設定して、前記制御部に前記Ｘ線診断システムのシステム設定を行わせるシステム設定部と、
を有するＸ線診断システムと、
を備えるＸ線システム。
【発明の詳細な説明】
【技術分野】
【０００１】
本発明の実施形態は、Ｘ線診断システム、Ｘ線診断システムの制御方法、Ｘ線診断システム用サーバ、及びＸ線システム関する。
【背景技術】
【０００２】
Ｘ線診断システムでは、被検体を透過したＸ線に基づくＸ線画像の撮像が行われている。このＸ線の撮像条件、及びＸ線画像に施す画像処理のパラメータなどは予めＸ線診断システムに設定可能である。このため、これらの撮像条件やパラメータは、ファントムに対する撮像やテストデータを用いて操作者により作り込みが行われ、Ｘ線診断システムに設定されている。また、Ｘ線診断システム毎にＸ線診断システムの構成に関しても設定が可能であり、医師や施設の方針によりＸ線診断システムに設定が行われている。
【０００３】
ところが、異なる施設から派遣された医師や操作者により、Ｘ線診断システムを用いた撮像が行われる場合がある。このような場合に、Ｘ線診断システムの構成設定や撮像条件などの違いにより、Ｘ線診断システムの操作性やＸ線画像の読影に影響が生じてしまう恐れがある。
【先行技術文献】
【特許文献】
【０００４】
【特許文献１】特開２０００−１０７１６０号公報
【発明の概要】
【発明が解決しようとする課題】
【０００５】
本実施形態の目的は、ネットワークを介してＸ線診断システムのシステム設定、及び操作者に関連づけられた設定が可能であるＸ線診断システム、Ｘ線診断システムの制御方法、Ｘ線診断システム用サーバ、及びＸ線システムを提供することにある。
【課題を解決するための手段】
【０００６】
本実施形態に係るＸ線診断システムは、自システムを識別するための第１識別情報と、操作者を識別するための第２識別情報とを、ネットワークを介してＸ線診断システム用サーバに供給する供給部と、前記第１識別情報に関連づけられた前記自システムの構成に関する構成情報と、当該自システムの中で操作者別に設定可能である設定情報であって、前記第２識別情報に関連づけられた設定情報とを、前記Ｘ線診断システム用サーバから前記ネットワークを介して取得する取得部と、前記自システムを制御する制御部と、前記構成情報に基づき前記Ｘ線診断システムの構成を前記制御部に設定し、前記設定情報に基づき前記自システムの設定を前記制御部に設定して、前記制御部に前記自システムのシステム設定を行わせるシステム設定部と、を備える。
【図面の簡単な説明】
【０００７】
【図１】Ｘ線システムの構成例を示すブロック図。
【図２】診療所毎に設置されているＸ線診断システムを示す図。
【図３】Ｘ線診断システム及びＸ線診断システム用サーバの構成例を示すブロック図。
【図４】複数のＸ線診断システムにおける撮像システムの構成を模式的に示す図。
【図５】撮影制御回路が有する機能について示すブロック図。
【図６】デジタル画像処理回路が有する機能について示すブロック図。
【図７】Ｘ線診断システムにおける撮像システムの構成情報を示す図。
【図８】Ｘ線診断システムにおける撮像システムの構成情報を示す図。
【図９】Ｘ線診断システムに関する設定情報を示す図。
【図１０】操作画面設定機能が生成した操作画面のボタンを示す図。
【図１１】撮影プリセットにおける構成情報例を示す図。
【図１２】撮影プリセットの設定情報例を示す図。
【図１３】撮影条件設定値を示す図。
【図１４】撮像における構成情報例を示す図。
【図１５】Ｘ線診断システムに関する撮像の設定情報を示す図。
【図１６】画像保管における構成情報例を示す図。
【図１７】画像保管における編集権限に関する構成情報例を示す図。
【図１８】画像保管における編集権限に関する設定情報例を示す図。
【図１９】画像配置における構成情報例を示す図。
【図２０】画像配置における設定情報例を示す図。
【図２１】Ｘ線システムにおける撮影制御の一連の流れを示したフローチャートを示す図。
【図２２】記録回路内に記憶される情報の一例を示す図。
【発明を実施するための形態】
【０００８】
以下、図面を参照しながら、実施形態に係るＸ線システムを説明する。なお、以下の説明において、略同一の機能及び構成を有する構成要素については、同一符号を付し、重複説明は必要な場合にのみ行うこととする。
【０００９】
（第１実施形態）
まず、図１に基づいてＸ線システム１の全体構成について説明する。図１は、Ｘ線システム１の構成例を示すブロック図である。この図１に示すようにＸ線システム１は、広域ネットワークを介して、１又は複数のＸ線診断システム１０〜ｎの設定が可能なシステムである。すなわち、Ｘ線システム１は、１又は複数のＸ線診断システム１０〜ｎと、Ｘ線診断システム用サーバ２０とを備えて構成されている。Ｘ線診断システム１０〜ｎと、Ｘ線診断システム用サーバ２０とは、広域ネットワークを介して接続され、相互に通信可能に構成されている。ここでの広域ネットワークは、例えばインターネット、専用回線等であり、物理的に離れた複数の拠点間を結ぶ通信網である。
【００１０】
Ｘ線診断システム１０〜ｎのそれぞれは、Ｘ線を用いて人体を撮像する撮像装置、例えば一般Ｘ線撮影装置、Ｘ線透視装置などを有するシステムであり、固有の識別情報であるシステムＩＤが割り振られている。以下、Ｘ線診断システム１０〜ｎにおける撮像装置として、一般Ｘ線撮影装置を例として説明するが、消化管造影検査等に用いられるＸ線透視装置等、様々なＸ線撮像装置に適用可能である。また、Ｘ線診断システム１０〜ｎの設定は、システム毎に行うこうことが可能である。例えば、撮像装置の動作条件、画質設定、操作画面などの設定をシステム毎に行うことが可能である。より詳細には、システムの設定情報には、Ｘ線診断システム１０〜ｎの構成に関する構成情報と、Ｘ線診断システム１０〜ｎの中で操作者別に設定可能である設定情報とがある。すなわち、構成情報に基づきＸ線診断システム１０〜ｎの構成が設定され、設定情報に基づき操作者別に設定可能である情報が設定される。
【００１１】
Ｘ線診断システム１０〜ｎの構成は、病院などの施設、或いは医師毎に定められている。このため、構成情報の変更や選択は、施設の管理者、技師長、医師などの変更権限を有する者により行われる。一方で、設定情報は、操作者別に定められている。このため、設定情報の変更や選択は、操作者毎に行うことが可能である。
【００１２】
例えば、後述するように、管球から照射させるＸ線における撮影条件上限値、撮影後の画像に行う画像処理の種類などは、構成情報に含まれる。一方で、管球から照射させるＸ線における撮影条件、画像処理のパラメータなどは操作者別に設定可能であり、設定情報に含まれる。
【００１３】
また、Ｘ線診断システム１０〜ｎは、病院などの施設毎に定められている構成情報と、操作者別に設定可能である設定情報とを、Ｘ線診断システム用サーバ２０に、例えば定期的に送信している。これにより、Ｘ線診断システム用サーバ２０は、Ｘ線診断システム１０〜ｎ毎のシステム環境に関する情報を定期的に更新し、記録している。Ｘ線診断システム１０〜ｎ及びＸ線診断システム用サーバ２０の詳細な構成は後述する。
【００１４】
図２は、診療所毎に設置されているＸ線診断システムを示す図である。この図２に示すように、契約などにより日替わりで１名の放射線技師が複数の診療所Ａ、Ｂ、Ｃ、Ｄなどを掛け持ちで訪問することがある。診療所Ａ、Ｂ、Ｃ、Ｄには、それぞれＸ線診断システム１０、１２、１４、１６が設置されている。ところが、Ｘ線診断システム１０、１２、１４、１６毎に、例えば操作性、撮影条件値が異なると、操作ミスの誘発や、ユーザビリティ低下に繋がってしまう恐れがある。
【００１５】
そこで、再び図１に戻り、Ｘ線診断システム用サーバ２０は、操作者別に設定可能である設定情報であって、操作者に関連づけられた設定情報を、広域ネットワークを介してＸ線診断システム１０〜ｎに出力する。より詳細には、Ｘ線診断システム用サーバ２０は、Ｘ線診断システム１０〜ｎの操作者が変わる度に、このＸ線診断システム１０〜ｎを使用する操作者に関連づけられた設定情報をＸ線診断システム１０〜ｎに、広域ネットワークを介して出力する。この設定情報が入力されたＸ線診断システム１０〜ｎは、操作者に関連づけられた設定情報をシステムに設定する。これにより、操作者が通常使用しているシステム環境に近い設定をＸ線診断システム１０〜ｎに行うことが可能である。
【００１６】
一方で、上述のように、Ｘ線診断システム１０〜ｎのシステム設定には、病院などの施設毎、或いは医師毎に定められている構成情報がある。このため、Ｘ線診断システム用サーバ２０は、Ｘ線診断システム１０〜ｎに関連づけられた構成情報をＸ線診断システム１０〜ｎに、広域ネットワークを介して出力する。これにより、病院などの施設毎、或いは医師毎に定められている設定をＸ線診断システム１０〜ｎに行うことが可能である。例えば、Ａ施設に勤務するＡ医師が、Ｂ施設に派遣され診察を行う場合には、Ａ医師はＢ施設のＸ線診断システム１２における構成情報の中からＡ医師の読影に適する構成を選択し、構成情報として設定することが可能である。これにより、Ａ医師は、Ｂ施設においても、Ａ医師の読影に適する構成をシステム設定可能である。この場合も、撮影者毎に設定情報は変更されるので、撮影者が交代しても、撮影者における操作性の低下は抑制される。
【００１７】
なお、Ｘ線診断システム用サーバ２０に接続されるＸ線診断システム１０〜ｎは複数でもよく、或いは、単一であってもよい。例えば、Ｘ線診断システム１０のみがＸ線診断システム用サーバ２０に接続される場合にも、操作者が変わる場合が有る。このような場合にも、操作者別のシステム設定が可能である。また、一つの施設内に、複数のＸ線診断システム１０〜ｎを配置してもよい。さらにまた、Ｘ線診断システム１０〜ｎと、Ｘ線診断システム用サーバ２０とを同一の施設内に配置してもよい。この場合には、院内ネットワークを介してＸ線診断システム１０〜ｎと、Ｘ線診断システム用サーバ２０との間の通信が可能である。
【００１８】
次に、図３に基づき、Ｘ線診断システム１０及びＸ線診断システム用サーバ２０の詳細な構成例を説明する。図３は、Ｘ線診断システム１０及びＸ線診断システム用サーバ２０の構成例を示すブロック図である。ここでは、Ｘ線診断システム１０が広域ネットワークを介してＸ線診断システム用サーバ２０と通信している例について説明する。また、Ｘ線診断システム１０の操作者は一人であり、操作者が交代する度に、操作者の認証が必要である場合について説明する。Ｘ線診断システム１２〜ｎの構成は、Ｘ線診断システム１０と同等の構成あるので説明を省略する。
【００１９】
＜Ｘ線診断システム１０の構成＞
Ｘ線診断システム１０は、Ｘ線診断システム用サーバ２０から入力されるＸ線診断システム１０の構成に関する構成情報と、操作者に関連づけられた設定情報とに基づきシステム設定を行う。すなわち、このＸ線診断システム１０は、システム設定装置１００と、Ｘ線撮像システム２００とを備えて構成されている。
【００２０】
システム設定装置１００は、Ｘ線診断システム１０のシステムＩＤと操作者の操作者ＩＤとをＸ線診断システム用サーバ２０に出力する。そして、システム設定装置１００は、システムＩＤに関連づけられたＸ線診断システム１０の構成に関する構成情報と、Ｘ線診断システム１０の中で操作者別に設定可能である設定情報であって、操作者ＩＤに関連づけられた設定情報とを、Ｘ線診断システム用サーバ２０から広域ネットワークを介して取得する。より詳細には、システム設定装置１００は、ログイン管理回路１０２と、システムＩＤ管理回路１０４と、ネットワーク接続回路１０６と、変更回路１０８と、第１ディスプレイ１１０と、第１入力回路１１２と、システム設定回路１１４とを備えて構成されている。
【００２１】
ログイン管理回路１０２は、操作者のＩＤを管理する回路であり、操作者の認証を行う。すなわち、このログイン管理回路１０２は、操作者を認証すると、操作者の操作者ＩＤを出力し、Ｘ線診断システム１０による撮影を許可する。また、ログイン管理回路１０２は、操作者ＩＤに変更権限を設定可能であり、システム構成の変更権限を有する施設の責任者、医師、技師長などの操作者ＩＤに変更権限を設定している。
【００２２】
より詳細には、ログイン管理回路１０２は、システムＩＤ管理回路１０４とネットワーク接続回路１０６とに接続され、システムＩＤ管理回路１０４にシステムＩＤを出力させると共に、操作者の操作者ＩＤをネットワーク接続回路１０６に出力する。例えば、操作者が、操作者の名前とパスワードを入力すると、予め操作者の名前及びパスワードに関連付けられている操作者ＩＤをネットワーク接続回路１０６に出力する。このように、ログイン管理回路１０２は、認証した操作者に対応する操作者ＩＤを発行する。
【００２３】
システムＩＤ管理回路１０４は、Ｘ線診断システム１０のシステムＩＤを記憶し、ネットワーク接続回路１０６にシステムＩＤを出力する。すなわち、システムＩＤ管理回路１０４は、ログイン管理回路１０２と、ネットワーク接続回路１０６とに接続され、ログイン管理回路１０２の要求にしたがいシステムＩＤをネットワーク接続回路１０６に出力する。これにより、操作者がログイン管理回路１０２を介して、Ｘ線診断システム１０へのログイン操作を行うと、システムＩＤがネットワーク接続回路１０６に出力される。
【００２４】
ネットワーク接続回路１０６は、Ｘ線診断システム用サーバ２０と広域ネットワークを介して接続され、通信を行う。すなわち、このネットワーク接続回路１０６は、供給回路１０６Ａと、取得回路１０６Ｂとを備えて構成されている。供給回路１０６Ａは、システムＩＤと操作者ＩＤとを、広域ネットワークを介してＸ線診断システム用サーバ２０に供給する。なお、本実施形態では、システムＩＤが第１識別情報に対応し、操作者ＩＤが、第２識別情報に対応する。
【００２５】
より詳細には、供給回路１０６Ａは、ログイン管理回路１０２と、システムＩＤ管理回路１０４と、Ｘ線診断システム用サーバ２０と接続され、ログイン管理回路１０２から操作者ＩＤが入力され、システムＩＤ管理回路１０４からシステムＩＤが入力され、操作者ＩＤとシステムＩＤとを、Ｘ線診断システム用サーバ２０に供給する。すなわち、供給回路１０６Ａは、ログイン管理回路１０２による操作者の認証が行われると、操作者ＩＤとシステムＩＤとを、Ｘ線診断システム用サーバ２０に供給する。このように、Ｘ線診断システム１０の操作者が、ログイン管理回路１０２を介してＸ線診断システム１０へのログインを行うと、供給回路１０６Ａは、システムＩＤと操作者ＩＤとをＸ線診断システム用サーバ２０に供給する。
【００２６】
取得回路１０６Ｂは、システムＩＤに関連づけられたＸ線診断システム１０の構成に関する構成情報と、Ｘ線診断システム１０の中で操作者別に設定可能である設定情報であって、操作者ＩＤに関連づけられた設定情報とを、Ｘ線診断システム用サーバ２０から広域ネットワークを介して取得する。より詳細には、取得回路１０６Ｂは、Ｘ線診断システム用サーバ２０と、変更回路１０８と、システム設定回路１１４と、に接続され、Ｘ線診断システム用サーバ２０から取得したＸ線診断システム１０の構成に関する構成情報と、操作者ＩＤに関連づけられた設定情報とを、変更回路１０８と、システム設定回路１１４とに出力する。
【００２７】
変更回路１０８は、構成情報、及び設定情報のいずれかを変更、或いは選択する場合に起動される。この変更回路１０８では、操作者ＩＤに設定された変更権限に従い、変更、或いは選択が許可される情報が異なる。すなわち、医師、技師長などのようにシステムの変更権限を有する操作者のみに、構成情報の変更、選択を許可している。一方で、通常の操作者には、操作者ＩＤに関連づけられた設定情報のみの変更、選択を可能にしている。このように、変更回路１０８は、Ｘ線診断システム１０の構成及び設定の変更や、初期設定に用いられる。
【００２８】
一方で、変更回路１０８を起動しない場合には、構成情報及び設定情報は、システム設定回路１１４に直接出力される。このため、変更回路１０８を起動しない場合には、操作者がログイン管理回路１０２を介してＸ線診断システム１０へログインするだけで、操作者に関連付けられた設定情報に基づく設定がＸ線診断システム１０に行われる。
【００２９】
より詳細には、変更回路１０８は、取得回路１０６Ｂと、第１ディスプレイ１１０と、第１入力回路１１２と、システム設定回路１１４とに接続され、選択或いは変更可能な構成を第１ディスプレイ１１０に表示させる。後述するように、変更回路１０８には、Ｘ線診断システム１０の構成情報として、複数台の撮影装置の情報が入力される場合がある。このような場合に、操作者は、操作者の撮影や、読影などに適した撮影装置を変更回路１０８により選択、或いは変更することが可能である。
【００３０】
第１ディスプレイ１１０は、各種の情報を表示するための、液晶表示装置などによって実現される。より詳細には、ディスプレイは、変更回路１０８に接続され、変更回路１０８で処理された画像などを輝度信号に変換し画面に表示する。
【００３１】
第１入力回路１１２は、構成情報の選択などを行うためのトラックボール、スイッチボタン、マウス、キーボード等によって実現される。より詳細には、第１入力回路１１２は、変更回路１０８に接続され、操作者から受け取った入力操作を電気信号に変換し、選択、或いは変更信号として変更回路１０８に出力する。変更回路１０８は、第１入力回路１１２により選択、或いは変更された構成情報をＸ線診断システム用サーバ２０に供給回路１０６Ａを介して出力し、Ｘ線診断システム用サーバ２０にシステムＩＤと関連づけて記録させる。また、変更回路１０８は、第１入力回路１１２により選択、或いは変更された設定情報をＸ線診断システム用サーバ２０に操作者ＩＤと関連づけて記録させる。さらにまた、変更回路１０８は、変更後の構成情報及び設定情報をシステム設定回路１１にも出力する。
【００３２】
また、供給部は、変更回路１０８において変更された構成情報をＸ線診断システム用サーバ２０に供給し、取得回路１０６Ｂは、変更された構成情報に応じた設定情報を再取得する。このように、設定情報が構成情報の変更により、変更の必要がある場合にも、設定情報を再取得することで変更された構成情報に応じた設定情報を取得可能である。
【００３３】
システム設定回路１１４は、構成情報に基づきＸ線診断システム１０の構成を制御装置２０６に設定し、設定情報に基づきＸ線診断システム１０の設定を制御装置２０６に設定して、制御装置２０６にＸ線診断システム１０のシステム設定を行わせる。より詳細には、システム設定回路１１４は、ネットワーク接続回路１０６内の取得回路１０６Ｂと、変更回路１０８と、Ｘ線撮像システム２００内の制御装置２０６及び撮像装置２０２とに接続され、構成情報に基づきＸ線診断システム１０の構成を制御装置２０６に設定し、設定情報に基づきＸ線診断システム１０の設定を制御装置２０６に設定して、制御装置２０６にＸ線診断システム１０のシステム設定を行わせる。また、システム設定回路１１４は、例えば定期的に、制御装置２０６及び撮像装置２０２の少なくとも一方からＸ線診断システム１０の構成情報、及び設定情報と、使用可能な撮像装置などの情報とを、取得し、供給回路１０６Ａを介してＸ線診断システム用サーバ２０に出力し、記録させる。
【００３４】
Ｘ線撮像システム２００は、システム設定装置１００におけるシステム設定回路１１４の設定にしたがいＸ線診断システム１０のシステム設定を行う。すなわち、このＸ線撮像システム２００は、撮像装置２０２と、記憶回路２０４と、制御装置２０６と、第２ディスプレイ２０８と、第２入力回路２１０とを備えて構成されている。
【００３５】
撮像装置２０２は、Ｘ線撮影が可能なシステムであり、Ｘ線を被検体に向けて発生する管球と、管球が発生したＸ線に基づいてＸ線画像を取得するＸ線検出器とを有する。より詳細には、撮像装置２０２は、制御装置２０６に接続され、制御装置２０６の制御にしたがい撮影を行う。また、撮像装置２０２は、撮影したＸ線画像を制御装置２０６などに出力する。撮像装置２０２の詳細な構成例は後述する。
【００３６】
記憶回路２０４は、磁気的もしくは光学的記録媒体または半導体メモリなどの、読み取り可能な記録媒体を含んだ構成を有する。記憶回路２０４は、制御装置２０６の撮影制御回路２０６Ａ及びデジタル画像処理回路２０６Ｂにて行われる各処理機能を、コンピュータによって実行可能なプログラム形態で、記憶している。また、Ｘ線撮像システム２００で用いられる各種のデータを記憶する。
【００３７】
制御装置２０６は、システム設定回路１１４に設定された構成情報及び設定情報に基づき、Ｘ線診断システム１０のシステム設定を行うと共に、Ｘ線診断システム１０の制御を行う。すなわち、この制御装置２０６は、撮影制御回路２０６Ａと、デジタル画像処理回路２０６Ｂとを、備えて構成されている。
【００３８】
具体的には、撮影制御回路２０６Ａは、撮像装置２０２と、デジタル画像処理回路２０６Ｂとを制御する。すなわち、この撮影制御回路２０６Ａは、システム設定回路１１４と、撮像装置２０２と、デジタル画像処理回路２０６Ｂとに接続され、システム設定回路１１４の設定にしたがい撮像装置２０２とデジタル画像処理回路２０６Ｂとを、制御する。より詳細には、プログラムを記憶回路２０４から読み出し、実行することで各プログラムに対応する各制御機能５００を実現するプロセッサである。換言すると、各プログラムを読み出した状態の撮影制御回路２０６Ａは、各処理機能を有することとなる。撮影制御回路２０６Ａの詳細も後述する。
【００３９】
デジタル画像処理回路２０６Ｂは、撮像装置２０２により撮影されたＸ線画像に画像処理を施す。すなわち、このデジタル画像処理回路２０６Ｂは、システム設定回路１１４と、撮像装置２０２と、撮影制御回路２０６Ａとに接続され、システム設定回路１１４の設定にしたがい、撮像装置２０２により撮影されたＸ線画像に画像処理を施す。具体的には、プログラムを記憶回路２０４から読み出し、実行することで各プログラムに対応する各制御機能５００を実現するプロセッサである。換言すると、各プログラムを読み出した状態のデジタル画像処理回路２０６Ｂは、各処理機能を有することとなる。デジタル画像処理回路２０６Ｂの詳細も後述する。
【００４０】
第２ディスプレイ２０８は、上述の第１ディスプレイ１１０と同様の構成であり、撮影制御回路２０６Ａ及びデジタル画像処理回路２０６Ｂに接続され、撮影制御回路２０６Ａで生成された操作画面、及びデジタル画像処理回路２０６Ｂで処理された画像などを輝度信号に変換し画面に表示する。第２入力回路２１０は、上述の第１入力回路１１２と同様の構成であり、撮影制御回路２０６Ａ及びデジタル画像処理回路２０６Ｂに接続され、操作者から受け取った入力操作を、撮影制御信号に変換して撮影制御回路２０６Ａに出力する。或いは、操作者から受け取った入力操作を、画像処理制御信号に変換してデジタル画像処理回路２０６Ｂに出力する。
【００４１】
＜Ｘ線診断システム用サーバ２０の構成＞
Ｘ線診断システム用サーバ２０は、第３入力回路３００と、記録回路３０２と、設定情報選択回路３０４と、出力回路３０６と、を備えて構成されている。第３入力回路３００は、Ｘ線撮像システム２００を識別するシステムＩＤと操作者を識別する操作者ＩＤとを広域ネットワークを介して受け付け、入力する。より詳細には、第３入力回路３００は、Ｘ線診断システム１０の供給回路１０６Ａと、記録回路３０２とに接続され、供給回路１０６Ａから入力されたシステムＩＤと操作者ＩＤとを、受け付け、記録回路３０２に出力する。
【００４２】
記録回路３０２は、Ｘ線診断システム１０の構成情報及び設定情報を記録しており、システムＩＤ管理データベース３０２Ａと、ユーザ管理データベース３０２Ｂとを、備えて構成されている。すなわち、システムＩＤ管理データベース３０２Ａは、システムＩＤに関連づけられたＸ線診断システム１０の構成に関する構成情報を記録し、ユーザ管理データベース３０２Ｂは、操作者ＩＤに関連づけられた設定情報を記録している。
【００４３】
より詳細には、記録回路３０２は、Ｘ線診断システム１０の供給回路１０６Ａと、設定情報選択回路３０４と、出力回路３０６とに接続され、供給回路１０６Ａから供給されたシステムＩＤに関連づけられた構成情報を設定情報選択回路３０４と、出力回路３０６とに出力する。
【００４４】
設定情報選択回路３０４は、記録回路３０２から入力された構成情報に基づき、システムＩＤに対応するＸ線診断システム１０の中で操作者別に設定可能である設定情報であって、操作者ＩＤに関連づけられた設定情報を出力する。すなわち、設定情報選択回路３０４は、システムＩＤに対応するＸ線診断システム１０の中で操作者別に設定可能である設定情報に関して、操作者ＩＤに関連づけられて記録部３０２に記録されている設定情報の中から、少なくとも１つの設定情報を選択する。
【００４５】
これにより、Ｘ線診断システム１０の操作者が、例えば他のＸ線診断システム１２〜ｎの使用時に設定した設定情報なども使用可能になる。また、設定情報選択回路３０４を設けることで、システムＩＤ管理データベース３０２Ａと、ユーザ管理データベース３０２Ｂとを独立に構成することが可能である。すなわち、ユーザ管理データベース３０２Ｂ内の情報をシステムＩＤと関連づけずに構成可能である。
【００４６】
出力回路３０６は、システムＩＤに関連づけられたＸ線診断システム１０の構成に関する構成情報と、設定情報選択回路３０４により選択された設定情報とを、Ｘ線診断システム１０の取得回路１０６Ｂに出力する。より詳細には、出力回路３０６は、記録回路３０２と、設定情報選択回路３０４と、取得回路１０６Ｂとに接続され、記録回路３０２から入力された構成情報と、設定情報選択回路３０４から入力された設定情報とを、取得回路１０６Ｂに出力する。
【００４７】
次に、図４に基づき、撮像装置２０２の詳細な構成例を説明する。図４は、複数のＸ線診断システム１０、２０における撮像装置２０２の構成を模式的に示す図である。ここでは、「システムＩＤ：２００８」で識別されるＡ内科、胃腸科のＸ線診断システム１０における撮像装置２０２の構成例（図２）と、「システムＩＤ：１００７」で識別されるＢ整形外科のＸ線診断システム１２における撮像装置２０２の構成例（図２）とを示している。この図４に示すように、Ｘ線診断システム１０における撮像装置２０２は、Ｘ線検出器４００と、立位の撮影台４０２と、管球４０４と、可搬型のＸ線検出器（１７Ｘ１７）４０６とを、有している。
【００４８】
Ｘ線検出器４００は、平面検出器（ＦＰＤ：Flat Panel Detector）により構成されている。ＦＰＤはイメージセンサを有しており、イメージセンサには、薄膜トランジスタ（ＴＦＴ：thin film transistor）、ＣＭＯＳイメージセンサ（Complementary Metal Oxide Semiconductor Image Sensor）や、ＣＣＤ（Charge Coupled Device）などが利用されている。より詳細には、Ｘ線検出器４００は、撮影制御回路２０６Ａとデジタル画像処理回路２０６Ｂとに接続され、撮影制御回路２０６Ａの制御に従い、管球４０４から照射されるＸ線に基づいてＸ線画像を取得する。そして、Ｘ線検出器４００で撮影された画像は、デジタル画像処理回路２０６Ｂに出力される。
【００４９】
立位の撮影台４０２は、Ｘ線検出器４００を上下に可動可能に支持している。より詳細には、立位の撮影台４０２は、撮影制御回路２０６Ａに接続され、撮影制御回路２０６Ａの従い、モーター駆動によりＸ線検出器４００を上下に動かすことができる。
【００５０】
管球４０４は、立位の撮影台４０２に支持されるＸ線検出器４００に向けてＸ線を発生する。より詳細には、管球４０４は、高電圧発生器に接続され、撮影制御回路２０６Ａの制御にしたがい高電圧発生器から供給された管電圧とフィラメント電流に応じたＸ線を出力する。
【００５１】
可搬型のＸ線検出器（１７Ｘ１７）４０６は、平面検出器（ＦＰＤ：Flat Panel Detector）により構成されている。可搬型のＸ線検出器（１７Ｘ１７）４０６は、縦１７インチ、横１７インチの撮影面を有し、例えば、Ｘ線検出器４００による撮影が困難である部位の撮影に用いられる。この可搬型のＸ線検出器（１７Ｘ１７）４０６は、撮影制御回路２０６Ａとデジタル画像処理回路２０６Ｂとに無線通信により接続され、撮影制御回路２０６Ａの制御に従い管球４０４から照射されるＸ線を撮影する。そして、可搬型のＸ線検出器（１７Ｘ１７）４０６で撮影された画像は、無線通信によりデジタル画像処理回路２０６Ｂに出力される。
【００５２】
Ｘ線診断システム１２における撮像装置２０２は、Ｘ線診断システム１０における撮像システムと同等の構成に加え、管球４０８と、Ｘ線検出器４１０と、臥位の撮影台４１２と、可搬型のＸ線検出器（１４Ｘ１７）４１４とを有している。ここでは、Ｘ線診断システム１０における撮像装置２０２と同等の構成には同一の番号を付して説明を省略する。
【００５３】
Ｘ線検出器４１０は、Ｘ線検出器４００と同等の構成であり、例えば臥位の撮影台４１２に設置されている。すなわち、Ｘ線検出器４１０は、撮影制御回路２０６Ａとデジタル画像処理回路２０６Ｂとに接続され、撮影制御回路２０６Ａの制御に従い管球４０８から照射されるＸ線を撮影する。そして、Ｘ線検出器４１０で撮影された画像は、デジタル画像処理回路２０６Ｂに出力される。
【００５４】
臥位の撮影台４１２は、Ｘ線検出器４１０を固定支持している。より詳細には、臥位の撮影台４１２は、撮影制御回路２０６Ａに接続され、撮影制御回路２０６Ａに従い、モーター駆動により撮影台自体を上下に動かすことができる。
【００５５】
可搬型のＸ線検出器（１４Ｘ１７）４１４は、平面検出器（ＦＰＤ：Flat Panel Detector）により構成されている。可搬型のＸ線検出器（１４Ｘ１７）４１４は、縦１４インチ、横１７インチの撮影面を有し、例えば、Ｘ線検出器４００、４１４による撮影が困難である部位の撮影に用いられる。可搬型のＸ線検出器（１４Ｘ１７）４１４は、可搬型のＸ線検出器（１７Ｘ１７）４０６と比べ、小型であるため、取り扱いが容易であり、撮影範囲の狭い手足、膝などの撮影に用いられる。すなわち、可搬型のＸ線検出器（１４Ｘ１７）４１４は、撮影制御回路２０６Ａとデジタル画像処理回路２０６Ｂとに無線通信により接続され、撮影制御回路２０６Ａの制御に従い管球４０４、４０８から照射されるＸ線を撮影する。そして、Ｘ線検出器４００で撮影された画像は、デジタル画像処理回路２０６Ｂに無線通信により出力される。
【００５６】
次に、図３及び図４を参照にしつつ、図５に基づき撮影制御回路２０６Ａが有する機能例について詳細に説明する。図５は、撮影制御回路２０６Ａが有する機能について示すブロック図である。すなわち、撮影制御回路２０６Ａは、制御機能５００と、撮影装置制御機能５０２と、管球制御機能５０４と、撮影条件設定機能５０６と、撮影台制御機能５０８と、出力先設定機能５１０と、操作画面設定機能５１２と、撮影機能設定機能５１４と、アノテーション設定機能５１６とを備えて構成されている。
【００５７】
制御機能５００は、撮影制御回路２０６Ａ内の各機能及びデジタル画像処理回路２０６Ｂの制御を行い、システム設定回路１１４に設定された設定に従ったシステムを設定する。すなわち、制御機能５００は、システム設定回路１１４に設定された設定に基づき、Ｘ線診断システム１０内の各装置、各回路などに設定を行う。そして、制御機能５００は、これらの設定が行われたシステムの動作制御を以下の機能と連携して行う。
【００５８】
撮影装置制御機能５０２は、制御機能５００に設定された撮影装置を制御する機能である。例えば、撮影装置制御機能５０２は、Ｘ線検出器４００に、休止駆動、暗電流の吐き出し駆動、電荷蓄積駆動、及び電荷吐き出し駆動のうちのいずれかの駆動を行わせる制御を行う。このように、撮影装置制御機能５０２は、撮影装置が撮影を行うための動作制御を行う。
また、撮影装置制御機能５０２は、Ｘ線診断システム１０で行われた撮影の履歴をシステムの撮影履歴として記憶回路２０４に記憶し、Ｘ線診断システム用サーバ２０に出力する。この場合、Ｘ線診断システム用サーバ２０のシステムＩＤ管理データベース３０２Ｂに記録させる。さらにまた、撮影装置制御機能５０２は、撮像システムで行われた撮影の履歴の中でログインしている操作者が行った撮影の履歴を操作者の撮影履歴として記憶回路２０４に記憶し、Ｘ線診断システム用サーバ２０に出力する。この場合、Ｘ線診断システム用サーバ２０のユーザ管理データベース３０２Ｂに記録させる。
【００５９】
管球制御機能５０４は、管球４０４、４０８に接続される高電圧発生装置が供給する管電圧とフィラメント電流と撮影時間とを制御する。すなわち、管球制御機能５０４は、制御機能５００に設定された管球４０４、４０８それぞれを制御する。このように、管球制御機能５０４は、管球４０４、４０８から照射されるＸ線の線質及び強度を制御する。また、管球制御機能５０４は、管球の位置を制御する。例えば、管球制御機能５０４には、Ｘ線検出器４００の位置情報が入力されており、管球４０４、４０８がＸ線検出器４００の位置を追随するように制御を行う。この際に、管球制御機能５０４は、Ｘ線検出器４００の上側にＸ線を照射する撮影位置上、中間に照射する撮影位置中、及び下側に照射する撮影位置下のいずれかに管球位置を制御する。すなわち、管球制御機能５０４には、制御機能５００に設定された撮影位置上、撮影位置中、及び撮影位置下のいずれかに管球４０４、４０８の位置を制御する。このように、管球制御機能５０４は、設定された撮影位置に従い管球位置の制御も行う。
【００６０】
撮影条件設定機能５０６は、管球４０４、４０８に接続される高電圧発生装置の撮影条件を設定する機能である。すなわち、撮影条件設定機能５０６は、撮影部位毎に管電圧、管電流、Ｘ線発生時間を設定する。ここでの撮影条件は、管電圧、管電流、及びＸ線発生時間を意味する。例えば、撮影条件設定機能５０６は、胸部正面の撮影用に管電圧、管電流、Ｘ線発生時間を設定する。この胸部正面の撮影用に設定された撮影条件は、胸部正面の撮影を行う際に、管球制御機能５０４により高電圧発生装置に出力され、Ｘ線の撮影条件が制御される。このように、撮影条件設定機能５０６は、撮影部位毎に、管球から照射されるＸ線の線質及び強度を設定する。
【００６１】
撮影台制御機能５０８は、撮影台４０２、４１２における可動部の位置を制御する。すなわち、撮影台制御機能５０８は、制御機能５００に設定された撮影台４０２、４１２それぞれを制御する。上述のように、撮影台制御機能５０８は、立位の撮影台４０２では、支持するＸ線検出器４００を上下させる制御を行う。また、撮影台制御機能５０８は、臥位の撮影台４１２では、寝台をＸ線検出器４１０と共に、上下させる制御を行う。このように、撮影台制御機能５０８は、被検体を撮影する際のＸ線検出器４００、４１０の位置を変更する制御を行う。
【００６２】
操作画面設定機能５１２は、ディスプレイに表示させる操作画面の配置及び配色を制御する。すなわち、操作画面設定機能５１２は、制御機能５００に設定された操作画面の配置及び配色に従った操作画面を生成する。
【００６３】
出力先設定機能５１０は、デジタル画像処理回路２０６Ｂで画像処理を施されたＸ線画像の出力先を設定する。すなわち、出力先設定機能５１０は、制御機能５００に設定された出力先に画像処理後のＸ線画像を出力する。また、デジタル画像処理回路２０６Ｂを介さずにＸ線画像を出力する場合の出力先も設定可能である。この場合には、撮影装置で撮影されたＸ線画像が設定された出力先に出力される。
【００６４】
撮影機能設定機能５１４は、所謂、オプションの処理機能を稼働状態にする機能である。すなわち、撮影機能設定機能５１４は、制御機能５００に設定された撮影機能を稼働状態にする。例えば、このようなオプションの処理機能には、エネルギーサブトラクション処理機能、長尺撮影機能などがある。エネルギーサブトラクション処理機能は、異なるＸ線の線質で撮影された同一被写体の２枚の画像間の差分をとる処理である。これにより、例えば骨部の組織の情報を減弱し、軟部組織の診断を行いやすい画像を得ることが可能である。また、長尺撮影機能は、例えば脚全体の撮影を行う場合に、立位の撮影台４０２に支持されるＸ線検出器４００の位置を連続的に変更して撮影を行う機能である。これにより、複数のＸ線画像が連続的に撮影され、Ｘ線検出器４００の撮影面を超える範囲の被検体の撮影が可能になる。
【００６５】
アノテーション機能は、画像処理されたＸ線画像に文字情報を加える機能である。例えば、アノテーション機能は、患者名、画像処理パラメータ、撮影条件などを画像の端部に記載する。このアノテーションとして記載する文字情報は、施設別に設定可能である。すなわち、アノテーション機能は、制御機能５００に設定されたアノテーションを画像処理後の画像に加える処理を行う。
【００６６】
次に、図６に基づきデジタル画像処理回路２０６Ｂが有する機能例について詳細に説明する。図６は、デジタル画像処理回路２０６Ｂが有する機能について示すブロック図である。すなわち、デジタル画像処理回路２０６Ｂは、周波数処理（１）機能６００と、周波数処理（２）機能６０２と、ダイナミックレンジ圧縮処理（１）機能６０４と、ダイナミックレンジ圧縮処理（２）機能６０６と、階調処理（１）機能６０８と、階調処理処理（２）機能６１０と、とを備えて構成されている。撮影装置に用いられる画像処理に関しては、医師の読影経験や、過去に使用した画像処理機能に依存して、医師が好む画像処理機能が異なる。このため、例えば、使用される画像処理機能が医師毎にシステム設定回路１１４により設定される。
【００６７】
周波数処理（１）機能６００は、例えば多重周波数処理をＸ線画像に施す機能である。ここでの周波数処理は、特定の周波数帯域の周波数成分の振幅を増加させる処理である。この周波数処理をＸ線画像に施すと、Ｘ線画像がより鮮鋭に表示される。周波数処理（１）機能６００では、強調する周波数帯を細かく設定可能である。このため、撮影部位毎に、強調周波数帯をより高精度に設定可能である。
【００６８】
周波数処理（２）機能６０２は、移動平均を用いたフィルタリング処理をＸ線画像に施す機能であり、画像処理としては、より古くから行われてきた処理機能である。このため、医師によっては、使用実績のある周波数処理（２）機能６０２を好む場合もある。
【００６９】
ダイナミックレンジ圧縮処理（１）機能６０４は、例えば多重周波数処理を用いたダイナミックレンジ圧縮処理をＸ線画像に施す機能である。ダイナミックレンジ圧縮処理（１）機能６０４は、オーバシュートなどのアーティファクトの抑制処理が可能な機能である。ここでの、ダイナミックレンジ圧縮処理は、高域の周波数成分の振幅を維持した状態で、中低域の周波数成分の振幅を圧縮する処理である。ダイナミックレンジの広いＸ線検出器４００では、診断可能な画素値範囲を広げることが可能であり、有効な処理の一つである。
【００７０】
ダイナミックレンジ圧縮処理（２）機能６０６は、例えば移動平均を用いて生成した低周波画像を用いたダイナミックレンジ圧縮処理機能であり、画像処理としては、より古くから行われてきた処理機能である。このため、医師によっては、使用実績のあるダイナミックレンジ圧縮処理（２）機能６０６を好む場合もある。
【００７１】
階調処理（１）機能６０８は、所謂、シングルガンマの階調処理をＸ線画像に行う機能である。この階調処理（１）機能６０８は、シングルガンマの階調を好む医師に用いられる。
【００７２】
階調処理（２）機能は、所謂、ダブルガンマの階調処理をＸ線画像に行う機能である。この階調処理（２）機能は、ダブルガンマの階調を好む医師に用いられる。
【００７３】
周波数処理、及びダイナミックレンジ圧縮処理に関しては、画像処理を行わない画像を好む医者もいる。このため、周波数処理機能、及びダイナミックレンジ圧縮処理機能に関しては、画像処理機能の設定を行わないことも可能である。例えば、アナログフィルムの読影になれた医者は、画像処理を施さない画像を好む場合もある。
【００７４】
以上が本実施形態に係るＸ線システム１の構成の説明であるが、次に図７に基づいて、「システムＩＤ：２００８」に関連づけられたＸ線診断システム１０における撮像システムの構成情報の一例について説明する。
【００７５】
図７は、Ｘ線診断システム１０における撮像システムの構成情報を示す図である。すなわち、図７で示す図は、変更回路１０８が第１ディスプレイ１１０に表示させている画像である。ここでは、アスタリスク「＊」は、複数の選択肢の中で現在のＸ線診断システム１０に設定されている構成、すなわちシステムの変更権限を有する操作者が選択した構成情報を示している。また、ここでは選択肢がない構成情報もディスプレイに表示させている。上述のように、これらの表示は、Ｘ線診断システム用サーバ２０から取得された「システムＩＤ：２００８」に関連付けられた構成情報に基づき行われている。
【００７６】
この図７に示すように撮影条件上限値は、管球４０４から照射させるＸ線における撮影部位別の上限値である。このように、撮影条件上限値の欄は、「システムＩＤ：２００８」に関連づけられており、撮影部位別に設定されている撮影条件上限値を表示する。撮影条件上限値は、選択肢のない構成情報であり、施設毎に統一的に設定されている。すなわち、この項目を変更すると、同一施設内における他のＸ線診断システムの設定も変更される。このように、ここでの構成情報は、管球４０４から照射させるＸ線における撮影部位別の撮影条件上限値である。そして、撮影制御回路２０６Ａは、撮影条件上限値を用いたＸ線診断システム１０の設定を行う。
【００７７】
撮影装置の欄は、Ｘ線診断システム１０内で使用可能である撮影装置を表示する。可搬型の撮影装置は、複数の検査室で共用されており、Ｘ線診断システム１０内で使用される可搬型の撮影装置は、撮影日毎などに変更される可能性がある。上述のように変更権限のある操作者は、第１入力回路１１２を介して撮影装置の選択が可能である。例えば、内科、胃腸科では、腹部の撮影に適する可搬型撮影装置（１７Ｘ１７）を好む傾向がある。選択された撮影装置は、構成情報としてシステム設定回路１１４に出力される。このように、ここでの構成情報は、Ｘ線撮像システム２００において使用可能である複数のＸ線検出器の中のいずれのＸ線検出器を使用するかを示す使用情報である。このように、複数のＸ線検出器の中には可搬型のＸ線検出器が含まれる場合がある。そして、撮影制御回路２０６Ａは、使用情報に基づくＸ線検出器を用いたＸ線診断システム１０の設定を行う。
【００７８】
管球の欄は、撮像システム内で使用可能である管球を表示する。操作者は、第１入力回路１１２を介して管球(１)で示す管球４０４の選択が可能である。選択された管球４０４は、構成情報としてシステム設定回路１１４に出力される。移動型の管球は、例えば回診用のＸ線撮影装置に搭載される管球を示している。回診用のＸ線撮影装置は、一般に検査室で使用されることは無いが、緊急時には選択できることを示している。このように、ここでの構成情報は、Ｘ線診断システム１０において使用可能である複数の管球の中のいずれの管球を使用するかを示す使用情報である。そして、撮影制御回路２０６Ａは、使用情報に基づく管球を用いたＸ線診断システム１０の設定を行う。
【００７９】
撮影台の欄は、Ｘ線診断システム１０内で使用可能である撮影台を表示する。Ｘ線診断システム１０内では、選択肢がなく、立位の撮影台４０２が構成情報として選択されている。このように、ここでの構成情報は、Ｘ線撮像システム２００において使用可能である複数の撮影台の中のいずれの撮影台を使用するかを示す使用情報である。そして、撮影制御回路２０６Ａは、使用情報に基づく撮影台を用いたＸ線診断システム１０の設定を行う。
【００８０】
図８は、Ｘ線診断システム１２における撮像システムの構成情報を示す図である。すなわち、図８で示す図は、変更回路１０８がディスプレイに表示させている画像である。ここでは、図７で示した構成情報と異なる部分を説明する。この図８に示すように、撮影条件上限値の欄には、Ｘ線診断システム１０と異なる撮影条件上限値が表示されている。
【００８１】
撮影装置の欄には、超音波診断装置も使用可能であることが表示されている。このように、このＸ線診断システム１２では、Ｘ線撮影装置以外の撮影装置も使用可能である。ここでの構成情報は、Ｘ線診断システム１２において使用可能である複数の撮影装置の中のいずれの撮影装置を選択するかを示す選択情報である。そして、Ｘ線診断システム１２の撮影制御回路２０６Ａは、使用情報に基づく撮影装置を用いたＸ線診断システム１２の設定を行う。  
管球の欄は、上述と同様に、Ｘ線診断システム１２内で使用可能である管球を表示する。Ｘ線診断システム１２内では、管球４０４、４０８、移動型管球が使用可能である。ここでは、管球(１)で示す管球４０４と、管球(２)で示す管球４０８が選択されており、構成情報としてシステム設定回路１１４に出力される。
【００８２】
撮影台の欄は、上述と同様に、Ｘ線診断システム１２内で使用可能である撮影台を表示する。Ｘ線診断システム１２内では、立位の撮影台４０２と、臥位の撮影台４１２との２台が選択されていることを表示している。操作者は、第１入力回路１１２を介して撮影台の再選択が可能であり、選択された撮影台は、構成情報としてシステム設定回路１１４に出力されると共に、Ｘ線診断システム用サーバ２０に出力される。
【００８３】
次に図９に基づいて、操作者ＩＤに関連づけられた設定情報の例について説明する。図９は、Ｘ線診断システム１２に関する設定情報を示す図である。ここでは、システムの変更権限のない操作者がＸ線診断システム１２にログインし、変更回路１０８を起動した場合について説明する。また、図８で示したように、Ｘ線検出器４００（１）、Ｘ線検出器４００（２）、可搬型Ｘ線検出器（１７Ｘ１７）、可搬型Ｘ線検出器（１４Ｘ１７）が、Ｘ線診断システム１２内で使用する撮影装置として選択されている。アスタリスク「＊」は、現在の撮像システム構成１に設定されている設定情報、すなわち今の操作者の設定情報を示している。
再び図９に戻り、撮影装置の下に記載される順番が操作画面上のボタンへの機能割り当て順を示している。例えば「１番目」は、Ｘ線検出器（１）がボタンとして左から１番目に配置されることを示し、「３番目」は、Ｘ線検出器（２）がボタンとして左から３番目に配置されることを示し、「２番目」は、可搬型Ｘ線検出器（１７Ｘ１７）がボタンとして左から２番目に配置されることを示し、「４番目」は、可搬型Ｘ線検出器（１４Ｘ１７）がボタンとして左から４番目に配置されることを示している。このように、例えばボタンへの機能割り当て順を示す設定情報は、Ｘ線診断システム１２内で選択された撮影装置の構成情報に応じて制限される。換言すると、撮影装置の構成情報に応じて選択された撮影装置にしか、ボタンへの機能割り当て順を示す設定を行うことができない。
本実施形態においては、「ボタン」を例として挙げるが、操作画面上において項目を選択可能なＧＵＩであれば、「ボタン」以外のものも用いることができる。例えば、選択箇所を示すアイコンを、ドラッグ・アンド・ドロップによって、項目を表すアイコン上に重ねることにより当該項目を選択するようなＧＵＩを用いることができる。
【００８４】
ここでの設定情報は、操作画面上の各操作ボタンへ、選択された撮影装置を割り振る機能割り当て順の情報であり、撮影制御回路２０６Ａは、機能割り当て順の情報に基づくボタンを使用するＸ線診断システム１２の設定を行う。各操作ボタンを介して入力された起動信号などは、撮影制御回路２０６Ａの撮影装置制御機能５０２に出力され、各操作ボタンに割り振られた撮影装置を例えば起動する。
【００８５】
また、使用言語の欄は、Ｘ線診断システム１２に使用可能である言語を示している。すなわち、「操作者ＩＤ：１００７」で示す操作者は、例えば使用可能な言語である日本語、英語、独語の中から日本語を選択し、設定している。このように、使用言語は、構成情報の設定の影響を受けずに、設定できる項目である。つまり、ここでの設定情報は、使用言語の情報であり、撮影制御回路２０６Ａは、使用言語の情報に基づく言語を使用するＸ線診断システム１２の設定を行う。なお、設定情報も第１入力回路１１２を介して変更、及び再設定が可能である。
【００８６】
これらから分かるように、操作者の操作者ＩＤに関連づけられる設定情報には、ボタンへの機能割り当て順のように構成情報に応じて制限される設定情報と、使用言語のように構成情報の設定の影響を受けずに、設定できる設定情報とがある。
【００８７】
図１０に基づき、図９で示すボタンへの機能割り当て順に従い、撮影制御回路２０６Ａの操作画面設定機能５１２が生成した操作画面のボタンについて説明する。図１０は、操作画面設定機能５１２が生成した操作画面のボタンを示す図である。
【００８８】
この図１０に示すように、撮影ボタンは、Ｘ線検出器４００（１）可搬型Ｘ線検出器（１７Ｘ１７）、Ｘ線検出器４００（２）可搬型Ｘ線検出器（１４Ｘ１７）の順に配置されている。例えば、操作画面上のこれらのボタンを押下すると、関連の操作画面に表示が切り替わると共に、押下された撮影装置は、撮影制御回路２０６Ａにおける撮影装置制御機能５０２の制御に従い起動され、撮影の準備動作に入る。このように、操作画面のボタンの機能割り当て順は、操作者が操作の好みに合わせて設定可能である。例えば、この機能の割り当て順は、「操作者ＩＤ：００５」で示す操作者が整形外科で撮影を行う場合に使用している順番である。
【００８９】
これらから分かるように、Ｘ線診断システム１２内で使用する撮影装置の選択は、構成情報に従い設定されるので、施設内の医師などが読影に用いたい撮影装置に使用が制限される。このため、施設内の医師は、読影に用いたい撮影装置で撮影された画像を読影することができる。一方で、機能の割り当て順は、操作者の設定にしたがい配置されるので、操作者の操作性を優先することが可能である。このように、構成情報で定められた制限の中で、操作者の操作性を向上させることが可能である。一方で、上述の使用言語などは、構成情報の制限を受けず、操作者の操作性を向上させるように設定可能である。
【００９０】
図１１は、撮影プリセットにおける構成情報例を示す図であり、図１１に基づき、撮影プリセットにおける構成情報例について説明する。ここでは、図８と同様に、Ｘ線診断システム１２の構成情報を変更回路１０８が第１ディスプレイ１１０に表示させている画像について説明する。撮影プリセットは、撮影装置で撮影を行う前に設定される情報である。この図１１に示すように撮影プリセットの構成情報は、画像処理、撮影位置などがある。Ｘ線診断システム１２では、周波数処理（１）、階調変換処理（１）が選択されている。一方で、Ｘ線診断システム１２ではダイナミックレンジ圧縮処理は選択されていない。すなわち、ここでの構成情報は、Ｘ線診断システム１２において使用可能である画像処理機能の中から使用する画像処理機能を選択する選択情報である。
【００９１】
また、撮影位置は、撮影位置中が選択されている。ここでは、外側の四角が撮影装置の撮影範囲、すなわち、撮影装置の撮影面を示し、内側の四角が管球により照射されるＸ線の範囲を示している。このように、医師などにより、管球から照射されるＸ線の照射範囲の位置は選択される。ここでの構成情報は、Ｘ線検出器の中の撮影位置を示す位置情報である。そして、撮影制御回路２０６Ａは、位置情報が示す撮影位置において撮影を行うＸ線診断システム１２を設定する。
【００９２】
図１２は、撮影プリセットの設定情報例を示す図であり、図１２に基づいて、操作者ＩＤに関連づけられた撮影プリセットの設定情報の例について説明する。ここでの撮影プリセットは、Ｘ線診断システム１２に関する撮影プリセットある。ここでは、周波数処理（１）及び階調変換処理（１）のパラメータが設定されている。周波数処理（１）の強度は数字が大きくなるに従い、所定の周波数帯における周波数成分の振幅が増加する。また、階調変換処理（１）のパラメータは特定の関心領域の基準濃度を示している。例えば胸部正面では、第５肋間の濃度が１．９になるように階調変換処理される。このように、ここでの設定情報は、使用する画像処理機能のパラメータである。換言すると、設定情報である画像処理機能のパラメータは、構成情報に基づき選択される画像処理に制限されている。そして、撮影制御回路２０６Ａは、選択情報に基づき選択された画像処理機能を、パラメータに従い実行するＸ線診断システム１２の設定を行う。
【００９３】
撮影条件は、操作者が通常使用する撮影部位別の撮影条件を示している。すなわち、管電圧、管電流、撮影時間である。このように、ここでの設定情報は、管球から照射させるＸ線における撮影部位別の撮影条件である。
【００９４】
アノテーションリストは、アノテーションリスト（２）が選択されている。ここでの設定情報は、アノテーションリストの情報であり、撮影制御回路２０６Ａは、アノテーションリストの情報に基づくアノテーションリストを使用するＸ線撮像システム２００の設定を行う。
【００９５】
これらから分かる様に、画像処理パラメータの設定は構成情報で選択された画像処理に制限され、撮影条件の設定は、後述する様に撮影条件上限値に制限される。一方で、アノテーションの設定は構成情報とは、独立して設定可能である。
【００９６】
図１３は、撮影条件設定値を示す図である。図８及び図１２を参照にしつつ、図１３に基づき、撮影条件設定値について説明する。ここではＸ線診断システム１２において「操作者ＩＤ：００５」の操作者用に設定された撮影条件設定について説明する。図８に基づき説明したように、管球から照射させるＸ線における撮影部位別の撮影条件上限値は、Ｘ線診断システム１２の構成情報として設定されている。また、図１２に基づき説明したように、管球から照射させるＸ線における撮影部位別の撮影条件は、設定条件として設定されている。撮影制御回路２０６Ａは、これらの構成情報及び設定情報に基づき、撮影条件上限値を超えない範囲に制限した撮影条件を、撮影部位別に有するＸ線診断システム１２の設定を行う。すなわち図１３に示すように、設定情報である撮影条件中の胸部正面の管電圧、撮影時間が、構成情報である撮影情報上限値を超えているので、撮影情報上限値に変更されている。同様に、胸部側面の管電流、大腿部の管電圧、管電流、撮影時間が撮影情報上限値に変更されている。
【００９７】
これらから分かるように、Ｘ線診断システム１２内で使用する撮影情報上限値の選択は、構成情報に従い設定されるので、施設内で統一的に設定された撮影情報上限値に制限される。このため、施設内の撮影装置による撮影では、撮影情報上限値を超える撮影は行われない。一方で、撮影情報上限値内の撮影条件は、操作者の操作性、撮影経験などを優先することが可能である。このように、構成情報で定められた制限の中で、操作者の操作性を向上させることが可能である。一方で、上述のアノテーションリストなどは、構成情報の制限を受けず、操作者の操作性を向上させるように設定可能である。
【００９８】
図１４は、撮像後処理における構成情報例を示す図であり、図１４に基づき、撮像後処理における構成情報例について説明する。ここでは、図８と同様に、Ｘ線診断システム１２の構成情報を変更回路１０８がディスプレイに表示させている画像について説明する。撮像後処理の構成情報は、撮影装置で撮影を行った後に行われる処理に設定される情報である。
【００９９】
この図１４に示すように撮像後処理の構成情報は、システムの撮影履歴の設定、利用可能な撮影機能の設定などがある。システムの撮影履歴は、Ｘ線診断システム１２で行われた撮影の履歴であり、例えば、撮影の行われた日時、操作者のＩＤ、被検者の年齢、名前、撮影部位、撮影条件、撮影装置などが記録される。変更回路１０８では、ログインしている操作者以外の操作者が撮影を行った撮影履歴に関しては、個人情報に関連する項目を非表示にする。ここでは、四角７００で氏名の項目を覆っている。このように、ここでの構成情報は、Ｘ線撮像システム２００における撮影履歴を記録したシステムの撮影履歴情報であり、撮影制御回路２０６Ａは、システムの撮影履歴情報に、Ｘ線撮像システム２００の撮影履歴を追加し、システムの撮影履歴情報の中で他の操作者が撮影した患者の個人情報に関して非表示にするＸ線撮像システム２００の設定を行う。なお、システム撮影履歴は、撮影制御回路２０６Ａに接続される第２ディスプレイ２０８を介して撮影中に確認可能である。この場合にも、他の操作者が撮影した患者の個人情報に関しては、非表示にされる。
【０１００】
図１５は、Ｘ線診断システム１２に関する撮像後処理の設定情報を示す図であり、図１５に基づいて、操作者ＩＤに関連づけられた操作者の撮影履歴の例について説明する。ここでの図は、変更回路１０８が第１ディスプレイ１１０に表示させている画像である。このように、ここでの設定情報は、Ｘ線診断システム１２において操作者が撮影した履歴を記録した操作者の撮影履歴情報であり、撮影制御回路２０６Ａは、操作者の撮影履歴情報に、Ｘ線診断システム１２において操作者が撮影した撮影履歴を追加するＸ線診断システム１２の設定を行う。
【０１０１】
図１６は、画像保管における構成情報例を示す図であり、図１６に基づき、画像保管における構成情報例について説明する。ここでは、図８と同様に、Ｘ線診断システム１２の構成情報を変更回路１０８が第１ディスプレイ１１０に表示させている画像について説明する。ここでの保管先は、撮影装置で撮影を行った画像、撮影装置で撮影を行った画像をデジタル画像処理回路２０６Ｂにより画像処理を施した画像の保管先を意味する。ここでは、３種類のプリンタ、２種類のＰＡＣＳ、２種類の外部メディアが選択可能である。
【０１０２】
この図１６に示すように、Ｘ線診断システム１２においては、プリンタ（１）、Ｘ社ＰＡＣＳ、外部メディア（２）が出力先として選択されている。このように、ここでの構成情報は、Ｘ線診断システム１２において使用可能である複数の出力先の中のいずれの出力先を使用するかを示す使用情報であり、撮影制御回路２０６Ａは、使用情報に基づく出力先に撮影した画像を出力するＸ線診断システム１２の設定を行う。
【０１０３】
図１７は、画像保管における編集権限に関する構成情報例を示す図であり、図１７に基づき、画像保管における編集権限に関する構成情報例について説明する。ここでは、図８と同様に、Ｘ線診断システム１２の構成情報を変更回路１０８が第１ディスプレイ１１０に表示させている画像について説明する。
【０１０４】
この図１７に示すように、ここでの構成情報には選択肢はなく、ログインしている「操作者ＩＤ：００５」の操作者に、この操作者が撮影した画像の処理を編集する編集権限を付している。このように、ここでの構成情報は、Ｘ線診断システム１２において撮影した画像の中のいずれの画像の変更権限を有するかを示す権限情報であり、撮影制御回路２０６Ａは、権限情報に基づく編集権限を設定したＸ線診断システム１２の設定を行う。
図１８は、画像保管における編集権限に関する設定情報例を示す図であり、図１８に基づき、画像保管における編集権限に関する設定情報例について説明する。ここでは、図８と同様に、Ｘ線診断システム１２の設定情報を変更回路１０８が第１ディスプレイ１１０に表示させている画像について説明する。ここでの設定情報は、ログインしている「操作者ＩＤ：００５」の操作者が撮影した画像に行うことが可能である編集権限を示している。すなわち、「全処理」であれば、全ての編集処理権限を有していることを示し、「画像の切り出し」であれば、撮影した画像の中で、表示に用いる画像の範囲を切り出す処理の編集権限を示し、「画像処理」であれば、撮影した画像に画像処理を行う編集権限を示し、「照射野の修正」であれば、Ｘ線の照射範囲として示す範囲を変更する編集権限を示している。このように、ここでの設定情報は、撮影後の画像に行うことが可能である編集権限の範囲を示す範囲情報であり、撮影制御回路２０６Ａは、設定情報に基づく編集権限を操作者に設定したＸ線診断システム１２の設定を行う
図１９は、画像配置における構成情報例を示す図であり、図１９に基づき、画像配置における構成情報例について説明する。ここでは、図８と同様に、Ｘ線診断システム１２の構成情報を変更回路１０８が第１ディスプレイ１１０に表示させている画像について説明する。ここでは、四角８００は、画像の表示領域であり、四角８０２は、例えば撮影条件設定領域内の管電圧に関する撮影条件入力領域を示し。四角８０４は、例えば撮影条件設定領域内の管電流と撮影時間に関する撮影条件の設定領域を示している。
【０１０５】
この図１９に示すように、撮影条件設定領域を画像の表示領域の右側に配置する右配置か、画像の表示領域の左側に配置する左配置を選択する。例えば、第２ディスプレイ２０８のおかれた位置により、右配置の方が操作しやすい場合には右配置が選択される。逆に、左配置の方が操作しやすい場合には左配置が選択される。このように、ここでの構成情報は、操作画面内における撮影条件設定領域の位置を示す位置情報である。
図２０は、画像配置における設定情報例を示す図であり、図２０に基づき、画像配置における設定情報例について説明する。ここでは、図８と同様に、第１ディスプレイ１１０の構成情報を変更回路１０８が第１ディスプレイ１１０に表示させている画像について説明する。ここでの設定情報は、四角８０２で示す撮影条件入力領域と、四角８０４で示す撮影条件入力領域の位置を選択する。この２０図では、四角８０４で示す撮影条件入力領域の位置を上、四角８０２で示す撮影条件入力領域を下に配置している。また、四角８００、四角８０２、四角８０４の配色の情報も設定されている。すなわち、ここでの設定情報は、操作画面における配色の情報である。
【０１０６】
このように、ここでは、構成情報は、操作画面内における撮影条件設定領域の位置を示す位置情報であり、設定情報は、撮影条件設定領域内における複数の撮影条件入力領域の配置を示す配置情報及び配色情報である。撮影制御回路２０６Ａは、位置情報に基づき操作画面内に位置させた撮影条件設定領域と、配置情報に基づき撮影条件設定領域内に配置させた複数の撮影条件入力領域とを、有する操作画面をディスプレイに表示させ、配色情報で示す配色を行うＸ線診断システム１２の設定を行う。
【０１０７】
次に、図２１に基づき、第１実施形態に係るＸ線システム１における撮影制御の一連の流れを説明する。図２１は、Ｘ線システム１における撮影制御の一連の流れを示したフローチャートを示す図である。ここでは、操作者がログインし、変更回路１０８が起動せずに行われる設定処理ついて説明する。
【０１０８】
ステップＳ１００では、操作者がログイン管理回路１０２に操作者の名前とパスワードを入力する。続いて、ステップＳ１０２では、ログイン管理回路１０２が、名前とパスワードの認証を行う。認証が終了すると、予め操作者の名前及びパスワードと関連付けられている操作者ＩＤをネットワーク接続回路１０６の供給回路１０６Ａに出力する。
【０１０９】
ステップＳ１０４では、操作者ＩＤが認証されると、システムＩＤ管理回路１０４はシステムＩＤを供給回路１０６Ａに出力する。
【０１１０】
ステップＳ１０６では、供給回路１０６Ａが、入力された操作者ＩＤとシステムＩＤとをＸ線診断システム用サーバ２０の第３入力回路３００に出力する。続いて、ステップＳ１０８では、第３入力回路３００に、操作者ＩＤとシステムＩＤとが入力される。
【０１１１】
次に、ステップＳ１１０では、記録回路３０２は、入力回路から入力されたシステムＩＤに関連づけられた構成情報をシステムＩＤ管理データベース３０２Ａから取得し、設定情報選択回路３０４と、出力回路３０６とに出力する。  
ステップＳ１１２では、設定情報選択回路３０４は、構成情報に基づき、システムＩＤに対応するＸ線撮像システム２００の中で操作者別に設定可能である設定情報に関して、ユーザ管理データベース３０２Ｂ内から取得し、出力する。ステップＳ１１４では、取得回路１０６Ｂが構成情報と設定情報を取得し、システム設定回路１１４に出力する。
【０１１２】
ステップＳ１１６では、システム設定回路１１４が、構成情報に基づきＸ線撮像システム２００の構成情報を制御装置２０６に設定する。続いて、ステップＳ１１８では、システム設定回路１１４が、設定情報に基づきＸ線診断システム１２の設定を制御装置２０６に設定して、制御装置２０６にＸ線診断システム１２のシステム設定を行わせ、処理を終了する。
【０１１３】
このように操作者がＸ線診断システム１２にログインすると、操作者ＩＤとシステムＩＤがＸ線診断システム用サーバ２０に出力される。Ｘ線診断システム用サーバ２０は、システムＩＤに関連づけられたＸ線診断システム１２の構成に関する構成情報と、このＸ線診断システム１２の中で操作者別に設定可能である設定情報であって、操作者ＩＤに関連づけられた設定情報とをシステム設定回路１１４に出力する。そして、システム設定回路１１４は、構成情報に基づきＸ線撮像システム２００の構成を制御装置２０６に設定し、設定情報に基づきＸ線撮像システム２００の設定を制御装置２０６設定して、制御装置２０６にＸ線診断システム１２のシステム設定を行わせる。
【０１１４】
以上のように、本実施形態においては、取得回路１０６Ｂがネットワークを介して、システムＩＤに関連づけられたＸ線診断システム１０の構成に関する構成情報と、Ｘ線診断システム１０の中で操作者別に設定可能である設定情報であって、操作者ＩＤに関連づけられた設定情報を取得し、システム設定回路１１４が構成情報に基づきＸ線診断システム１０の構成を設定し、設定情報に基づきＸ線診断システム１０の設定を制御装置２０６に行うこととした。これにより、システムＩＤ及び操作者ＩＤに基づくＸ線診断システム１０の設定が可能になり、Ｘ線診断システム１０の操作をより効率的に行うことが可能である。
【０１１５】
（第２実施形態）
上述した第１実施形態においては、記録回路３０２内に記憶されるシステムＩＤに関連する情報と、操作者ＩＤに関連する情報とが独立に記録されていたが、第２実施形態においては、システムＩＤに関連する情報と、操作者ＩＤに関連する情報とを、関連づけて記録するようにしている。以下、上述した第１実施形態と異なる部分を説明する。Ｘ線システム１の全体構成は第１実施形態と同様であるので説明を省略する。
【０１１６】
図２２は、記録回路３０２内に記憶される情報の一例を示す図であり、図２２に基づき、記録回路３０２内に記憶される情報について説明する。ここでは、「システムＩＤ：１００７」のＸ線撮像システム２００が使用可能である画像処理機能のうちの周波数処理（１）機能と、周波数処理（２）機能と、階調処理（１）機能と、階調処理処理（２）機能と、に関して説明する。この図２２に示すように、「システムＩＤ：１００７」のＸ線撮像システム２００が使用可能である周波数処理（１）機能６００と、周波数処理（２）機能６０２と、階調処理（１）機能６０８と、階調処理処理（２）機能６１０と、「操作者ＩＤ：００５」の操作者が設定した画像処理パラメータが関連づけられて記録回路３０２内に記憶されている。アスタリスク「＊」は、現在の撮像システムに設定されている構成を示している。
【０１１７】
Ｘ線診断システム用サーバ２０の入力回路にシステムＩＤと操作者ＩＤが入力されると、記録回路３０２は、システム内で選択可能である画像処理情報及び現在設定されている画像処理情報と、選択可能である画像処理情報に関連づけられている画像処理パラメータを出力回路３０６に出力する。すなわち、ここでは、選択可能である画像処理情報として、周波数処理（１）機能６００と、周波数処理（２）機能６０２と、階調処理（１）機能６０８と、階調処理処理（２）機能６１０とが出力され、現在設定されている画像処理情報として、周波数処理（１）機能６００と、階調処理（１）機能６０８が出力される。また、選択可能である画像処理情報に関連づけられている画像処理パラメータとして、周波数処理（１）機能６００、及び階調処理（１）機能６０８のパラメータが出力される。
【０１１８】
システム設定回路１１４は、構成情報として、周波数処理（１）機能６００と、周波数処理（２）機能６０２と、階調処理（１）機能６０８と、階調処理処理（２）機能６１０との中から、周波数処理（１）機能６００、及び階調処理（１）機能６０８を選択する選択情報を制御装置２０６に設定する。また、設定情報として、周波数処理（１）機能６００、及び階調処理（１）機能６０８のパラメータを制御装置２０６に設定する。
【０１１９】
以上のように、本実施形態においては、システムＩＤに関連する情報と、操作者ＩＤに関連する情報とを関連づけて記録回路３０２に記録させることとした。これにより、Ｘ線診断システム用サーバ２０は、設定情報選択回路３０４を用いなくとも、操作者ＩＤに関連づけられた設定情報を出力可能である。
【０１２０】
なお、第１実施形態におけるログイン管理回路１０２は、特許請求の範囲における認証部の一例である。第１実施形態における供給回路１０６Ａは、特許請求の範囲における供給部の一例であり、取得回路１０６Ｂは、特許請求の範囲における取得部の一例である。第１実施形態における変更回路１０８は、特許請求の範囲における変更部の一例である。第１実施形態におけるシステム設定回路１１４は、特許請求の範囲におけるシステム設定部の例である。第１実施形態における制御装置２０６は、特許請求の範囲における制御部の一例であり、第２ディスプレイは、特許請求の範囲における表示部の一例である。また、第１実施形態における第３入力回路３００は、特許請求の範囲における受付部の一例である。第１実施形態における記録回路３０２は、特許請求の範囲における記録部の一例である。第１実施形態における設定情報選択回路３０４は、特許請求の範囲における設定情報選択部の一例である。第１実施形態における出力回路３０６は、特許請求の範囲における出力部の一例である。
【０１２１】
上記の説明において用いた「プロセッサ」という文言は、例えばＣＰＵ（central processing unit）、ＧＰＵ（Graphics Processing Unit）、或いは、特定用途向け集積回路（Application Specific Integrated Circuit: ASIC）、プログラマブル論理デバイス（例えば、単純プログラマブル論理デバイス（Simple Programmable Logic Device: SPLD））、複合プログラマブル論理デバイス（Complex Programmable Logic Device: CPLD）、及びフィールドプログラマブルゲートアレイ（Field Programmable Gate Array: FPGA）などの回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図３における複数の構成要素を１つのプロセッサへ統合してその機能を実現するようにしてもよい。
【０１２２】
以上、いくつかの実施形態を説明したが、これらの実施形態は、例としてのみ提示したものであり、発明の範囲を限定することを意図したものではない。本明細書で説明した新規な装置および方法は、その他の様々な形態で実施することができる。また、本明細書で説明した装置および方法の形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【符号の説明】
【０１２３】
１：Ｘ線システム、１０〜ｎ：Ｘ線診断システム、２０：Ｘ線診断システム用サーバ、１０２：ログイン管理回路、１０６Ａ：供給回路、１０６Ｂ：取得回路、１０８：変更回路、２０６：制御装置、１１４：システム設定回路、３００：第３入力回路、３０２：記録回路、３０４：設定情報選択回路、３０６：出力回路
【図１】
2018110682.tif 000003
【図２】
2018110682.tif 000004
【図３】
2018110682.tif 000005
【図４】
2018110682.tif 000006
【図５】
2018110682.tif 000007
【図６】
2018110682.tif 000008
【図７】
2018110682.tif 000009
【図８】
2018110682.tif 000010
【図９】
2018110682.tif 000011
【図１０】
2018110682.tif 000012
【図１１】
2018110682.tif 000013
【図１２】
2018110682.tif 000014
【図１３】
2018110682.tif 000015
【図１４】
2018110682.tif 000016
【図１５】
2018110682.tif 000017
【図１６】
2018110682.tif 000018
【図１７】
2018110682.tif 000019
【図１８】
2018110682.tif 000020
【図１９】
2018110682.tif 000021
【図２０】
2018110682.tif 000022
【図２１】
2018110682.tif 000023
【図２２】
2018110682.tif 000024